【手続補正書】
【提出日】平成17年11月29日(2005.11.29)
【手続補正１】
【補正対象書類名】特許請求の範囲
【補正対象項目名】全文
【補正方法】変更
【補正の内容】
【特許請求の範囲】
【請求項１】
対象画素に映像を表示するための入力信号を入力し、該入力信号に基づいて対象画素に映像を表示した場合の前記対象画素における偽輪郭強度を検出する検出ステップと、
前記検出ステップにより検出された偽輪郭強度のレベルが所定値より大きいときは前記入力信号に対して誤差拡散処理を施した入力信号に基づく表示を、前記偽輪郭強度のレベルが所定値以下のときは誤差拡散処理を施さない入力信号に基づく表示を、それぞれ表示部に行わせる表示制御ステップと、
を備えることを特徴とする動画偽輪郭低減方法。
【請求項２】
対象画素に映像を表示するための入力信号を入力し、該入力信号に基づいて対象画素に映像を表示した場合の前記対象画素における偽輪郭強度を検出する検出ステップと、
前記検出ステップにより検出された偽輪郭強度のレベルに応じて、前記対象画素及びその周辺の画素に映像を表示するための入力信号に誤差拡散処理を施す範囲の広さを設定する誤差拡散範囲設定ステップと、
を備えることを特徴とする動画偽輪郭低減方法。
【請求項３】
対象画素に映像を表示するための入力信号を入力し、該入力信号に基づいて対象画素に映像を表示した場合の前記対象画素における偽輪郭強度を検出する検出ステップと、
前記検出ステップにより検出された偽輪郭強度のレベルに応じた態様で、前記入力信号に対して誤差拡散処理を施す誤差拡散ステップと、
を備えることを特徴とする動画偽輪郭低減方法。
【請求項４】
前記誤差拡散ステップは、
前記検出ステップにより検出された偽輪郭強度が、複数段階のレベルのうちの何れのレベルであるかを判定するレベル判定ステップと、
前記対象画素及びその周辺の画素において誤差拡散表示する範囲を、前記レベル判定ステップにより判定されたレベルに応じた広さに設定する誤差拡散範囲設定ステップと、
を備えることを特徴とする請求項３に記載の動画偽輪郭低減方法。
【請求項５】
対象画素に映像を表示するための入力信号を入力し、該入力信号に応じて、複数のサブフィールドと複数の階調レベルとを対応付ける階調レベル設定メモリを参照して、複数の決定サブフィールドの階調レベルを、それらの階調レベルの合計値が前記対象画素の階調レベルとなるように決定する決定ステップと、
前記決定サブフィールド毎に、前記対象画素と前記対象画素の周辺の周辺画素との輪郭を検出して輪郭検出値を生成するステップと、
前記階調レベル設定メモリに格納された前記サブフィールドに対応する階調レベルを、前記決定サブフィールド毎に前記輪郭検出値に乗算して偽輪郭検出値を生成するステップと、
前記決定サブフィールド毎に生成された前記偽輪郭検出値の合計値を、動画偽輪郭の程度を表す偽輪郭強度として算出するステップと、
前記対象画素の階調レベルと前記偽輪郭強度と前記表示部に表示される前記対象画素の階調レベルを実際にユーザが見たときに感じる見た目の偽輪郭強度とを対応付ける視覚感度設定メモリを参照して、前記対象画素の階調レベルと前記偽輪郭強度とに対応する前記見た目の偽輪郭強度を検索する検索ステップと、
前記検索ステップにより検索された前記見た目の偽輪郭強度のレベルに応じた態様で、前記入力信号に対して誤差拡散処理を施す誤差拡散ステップと、
を備えることを特徴とする動画偽輪郭低減方法。
【請求項６】
前記誤差拡散ステップは、
前記検索ステップにより検索された前記見た目の偽輪郭強度が、複数段階のレベルのうちの何れのレベルであるかを判定するレベル判定ステップと、
前記対象画素及びその周辺の画素において誤差拡散表示する範囲を、前記レベル判定ステップにより判定されたレベルに応じた広さに設定する誤差拡散範囲設定ステップと、
を備えることを特徴とする請求項５に記載の動画偽輪郭低減方法。
【請求項７】
更に、誤差拡散範囲設定ステップにより広さが設定された範囲内の各画素に対応する入力信号に施す誤差拡散処理の強さを、前記判定ステップにより判定されたレベルに応じた強さに設定する誤差拡散強度設定ステップを備えることを特徴とする請求項４又は６に記載の動画偽輪郭低減方法。
【請求項８】
対象画素に映像を表示するための入力信号を入力し、該入力信号に基づいて対象画素に映像を表示した場合の前記対象画素における偽輪郭強度を検出する偽輪郭検出部と、
前記偽輪郭強度が所定値より大きいときは前記入力信号に対して誤差拡散処理を施した入力信号に基づく表示を、前記偽輪郭強度が所定値以下のときは誤差拡散処理を施さない入力信号に基づく表示を、それぞれ行うように表示部を制御する表示制御部と、
を備えることを特徴とする動画偽輪郭低減回路。
【請求項９】
対象画素に映像を表示するための入力信号を入力し、該入力信号に基づいて対象画素に映像を表示した場合の前記対象画素における偽輪郭強度を検出する偽輪郭検出部と、
前記対象画素及びその周辺の画素において誤差拡散表示する範囲を、前記偽輪郭強度に応じた広さに設定する誤差拡散範囲設定部と、
前記誤差拡散設定部により設定された範囲の前記入力信号に対して誤差拡散処理を施した入力信号に基づく表示を行うように表示部を制御する表示制御部と、
を備えることを特徴とする動画偽輪郭低減回路。
【請求項１０】
対象画素に映像を表示するための入力信号を入力し、該入力信号に基づいて対象画素に映像を表示した場合の前記対象画素における偽輪郭強度を検出する偽輪郭検出部と、
前記偽輪郭検出部により検出された偽輪郭強度のレベルに応じた態様で、前記入力信号に対して誤差拡散処理を施す誤差拡散処理部と、
前記誤差拡散処理部による誤差拡散処理後の入力信号に基づき映像が表示されるように表示部を制御する表示制御部と、
を備えることを特徴とする動画偽輪郭低減回路。
【請求項１１】
前記誤差拡散処理部は、
前記偽輪郭検出部により検出された偽輪郭強度が、複数段階のレベルのうちの何れのレベルであるかを判定するレベル判定部と、
前記対象画素及びその周辺の画素において誤差拡散表示する範囲を、前記レベル判定部により判定されたレベルに応じた広さに設定する誤差拡散範囲設定部と、
を備えることを特徴とする請求項１０に記載の動画偽輪郭低減回路。
【請求項１２】
複数のサブフィールドと複数の階調レベルとを対応付ける階調レベル設定メモリと、
対象画素に映像を表示するための入力信号を入力し、該入力信号に応じて、前記階調レベル設定メモリを参照して、複数の決定サブフィールドの階調レベルを、それらの階調レベルの合計値が前記対象画素の階調レベルとなるように決定するコーディング部と、
前記決定サブフィールド毎に、前記対象画素と前記対象画素の周辺の周辺画素との輪郭を検出して輪郭検出値を生成する輪郭検出部と、
前記階調レベル設定メモリに格納された前記サブフィールドに対応する階調レベルを、前記決定サブフィールド毎に前記輪郭検出値に乗算して偽輪郭検出値を生成する重付部と、
前記決定サブフィールド毎に生成された前記偽輪郭検出値の合計値を、動画偽輪郭の程度を表す偽輪郭強度として算出する加算部と、
前記対象画素の階調レベルと前記偽輪郭強度と前記表示部に表示される前記対象画素の階調レベルを実際にユーザが見たときに感じる見た目の偽輪郭強度とを対応付ける視覚感度設定メモリと、
前記視覚感度設定メモリを参照して、前記対象画素の階調レベルと前記偽輪郭強度とに対応する前記見た目の偽輪郭強度を検索する視覚感度変換部と、
前記視覚感度変換部により検索された前記見た目の偽輪郭強度のレベルに応じた態様で、前記入力信号に対して誤差拡散処理を施す誤差拡散処理部と、
前記誤差拡散処理部による誤差拡散処理後の入力信号に基づき映像が表示されるように表示部を制御する表示制御部と、
を備えることを特徴とする動画偽輪郭低減回路。
【請求項１３】
前記誤差拡散処理部は、
前記視覚感度変換部により検索された前記見た目の偽輪郭強度が、複数段階のレベルのうちの何れのレベルであるかを判定するレベル判定部と、
前記対象画素及びその周辺の画素において誤差拡散表示する範囲を、前記レベル判定部により判定されたレベルに応じた広さに設定する誤差拡散範囲設定部と、
を備えることを特徴とする請求項１２に記載の動画偽輪郭低減回路。
【請求項１４】
更に、誤差拡散範囲設定部により広さが設定された範囲内の各画素に対応する入力信号に施す誤差拡散処理の強さを、前記レベル判定部により判定されたレベルに応じた強さに設定する誤差拡散強度設定部を備えることを特徴とする請求項１１又は１３に記載の動画偽輪郭低減回路。
【請求項１５】
請求項１０乃至１４の何れか一項に記載の動画偽輪郭低減回路と、
前記動画偽輪郭低減回路に接続された表示部と、
を備えることを特徴とする表示装置。
【請求項１６】
コンピュータが実行可能なプログラムであって、
対象画素に映像を表示するための入力信号が入力されると、該入力信号に基づいて対象画素に映像を表示した場合の前記対象画素における偽輪郭強度を検出する検出処理と、
前記検出処理により検出された前記偽輪郭強度のレベルが所定値より大きいときは前記入力信号に対して誤差拡散処理を施した入力信号に基づく表示を、前記偽輪郭強度が所定値以下のときは前記入力信号に対して誤差拡散処理を施さない入力信号に基づく表示を、それぞれ表示部に行わせる表示制御と、
を実行することを特徴とするプログラム。
【請求項１７】
コンピュータが実行可能なプログラムであって、
対象画素に映像を表示するための入力信号が入力されると、該入力信号に基づいて対象画素に映像を表示した場合の前記対象画素における偽輪郭強度を検出する検出処理と、
前記対象画素及びその周辺の画素において誤差拡散表示する範囲を、前記検出処理により検出された前記偽輪郭強度のレベルに応じた広さに設定する誤差拡散範囲設定処理と、
前記誤差拡散設定処理により設定された範囲の前記入力信号に対して誤差拡散処理を施した入力信号に基づく表示を行うように表示部を制御する表示制御処理と、
を実行することを特徴とするプログラム。
【請求項１８】
コンピュータが実行可能なプログラムであって、
対象画素に映像を表示するための入力信号が入力されると、該入力信号に基づいて対象画素に映像を表示した場合の前記対象画素における偽輪郭強度を検出する検出処理と、
前記検出処理により検出された偽輪郭強度のレベルに応じた態様で、前記入力信号に対して誤差拡散処理を施す誤差拡散処理と、
を実行することを特徴とするプログラム。
【請求項１９】
前記誤差拡散処理では、
前記検出処理により検出された偽輪郭強度が、複数段階のレベルのうちの何れのレベルであるかを判定するレベル判定処理と、
前記対象画素及びその周辺の画素において誤差拡散表示する範囲を、前記レベル判定処理により判定されたレベルに応じた広さに設定する誤差拡散範囲設定処理と、
を実行することを特徴とする請求項１８に記載のプログラム。
【請求項２０】
コンピュータが実行可能なプログラムであって、
対象画素に映像を表示するための入力信号が入力されると、該入力信号に応じて、複数のサブフィールドと複数の階調レベルとを対応付ける階調レベル設定メモリを参照して、複数の決定サブフィールドの階調レベルを、それらの階調レベルの合計値が前記対象画素の階調レベルとなるように決定する決定処理と、
前記決定サブフィールド毎に、前記対象画素と前記対象画素の周辺の周辺画素との輪郭を検出して輪郭検出値を生成する処理と、
前記階調レベル設定メモリに格納された前記サブフィールドに対応する階調レベルを、前記決定サブフィールド毎に前記輪郭検出値に乗算して偽輪郭検出値を生成する処理と、
前記決定サブフィールド毎に生成された前記偽輪郭検出値の合計値を、動画偽輪郭の程度を表す偽輪郭強度として算出する処理と、
前記対象画素の階調レベルと前記偽輪郭強度と前記表示部に表示される前記対象画素の階調レベルを実際にユーザが見たときに感じる見た目の偽輪郭強度とを対応付ける視覚感度設定メモリを参照して、前記対象画素の階調レベルと前記偽輪郭強度とに対応する前記見た目の偽輪郭強度を検索する検索処理と、
前記検索処理により検索された前記見た目の偽輪郭強度のレベルに応じた態様で、前記入力信号に対して誤差拡散処理を施す誤差拡散処理と、
を実行することを特徴とするプログラム。
【請求項２１】
前記誤差拡散処理では、
前記検索処理により検索された前記見た目の偽輪郭強度が、複数段階のレベルのうちの何れのレベルであるかを判定するレベル判定処理と、
前記対象画素及びその周辺の画素において誤差拡散表示する範囲を、前記レベル判定処理により判定されたレベルに応じた広さに設定する誤差拡散範囲設定処理と、
を実行することを特徴とする請求項２０に記載のプログラム。
【請求項２２】
更に、誤差拡散範囲設定処理により広さが設定された範囲内の各画素に対応する入力信号に施す誤差拡散処理の強さを、前記判定処理により判定されたレベルに応じた強さに設定する誤差拡散強度設定処理を実行することを特徴とする請求項１９又は２１に記載のプログラム。
【手続補正２】
【補正対象書類名】明細書
【補正対象項目名】００１１
【補正方法】変更
【補正の内容】
【００１１】
請求項１に記載の動画偽輪郭低減方法は、対象画素に映像を表示するための入力信号を入力し、該入力信号に基づいて対象画素に映像を表示した場合の前記対象画素における偽輪郭強度を検出する検出ステップと、前記検出ステップにより検出された偽輪郭強度のレベルが所定値より大きいときは前記入力信号に対して誤差拡散処理を施した入力信号に基づく表示を、前記偽輪郭強度のレベルが所定値以下のときは誤差拡散処理を施さない入力信号に基づく表示を、それぞれ表示部に行わせる表示制御ステップと、を備えることを特徴としている。
請求項２に記載の動画偽輪郭低減方法は、対象画素に映像を表示するための入力信号を入力し、該入力信号に基づいて対象画素に映像を表示した場合の前記対象画素における偽輪郭強度を検出する検出ステップと、前記検出ステップにより検出された偽輪郭強度のレベルに応じて、前記対象画素及びその周辺の画素に映像を表示するための入力信号に誤差拡散処理を施す範囲の広さを設定する誤差拡散範囲設定ステップと、を備えることを特徴としている。
【手続補正３】
【補正対象書類名】明細書
【補正対象項目名】００１２
【補正方法】変更
【補正の内容】
【００１２】
請求項３に記載の動画偽輪郭低減方法は、対象画素に映像を表示するための入力信号を入力し、該入力信号に基づいて対象画素に映像を表示した場合の前記対象画素における偽輪郭強度を検出する検出ステップと、前記検出ステップにより検出された偽輪郭強度のレベルに応じた態様で、前記入力信号に対して誤差拡散処理を施す誤差拡散ステップと、を備えることを特徴としている。
請求項５に記載の動画偽輪郭低減方法は、対象画素に映像を表示するための入力信号を入力し、該入力信号に応じて、複数のサブフィールドと複数の階調レベルとを対応付ける階調レベル設定メモリを参照して、複数の決定サブフィールドの階調レベルを、それらの階調レベルの合計値が前記対象画素の階調レベルとなるように決定する決定ステップと、前記決定サブフィールド毎に、前記対象画素と前記対象画素の周辺の周辺画素との輪郭を検出して輪郭検出値を生成するステップと、前記階調レベル設定メモリに格納された前記サブフィールドに対応する階調レベルを、前記決定サブフィールド毎に前記輪郭検出値に乗算して偽輪郭検出値を生成するステップと、前記決定サブフィールド毎に生成された前記偽輪郭検出値の合計値を、動画偽輪郭の程度を表す偽輪郭強度として算出するステップと、前記対象画素の階調レベルと前記偽輪郭強度と前記表示部に表示される前記対象画素の階調レベルを実際にユーザが見たときに感じる見た目の偽輪郭強度とを対応付ける視覚感度設定メモリを参照して、前記対象画素の階調レベルと前記偽輪郭強度とに対応する前記見た目の偽輪郭強度を検索する検索ステップと、前記検索ステップにより検索された前記見た目の偽輪郭強度のレベルに応じた態様で、前記入力信号に対して誤差拡散処理を施す誤差拡散ステップと、を備えることを特徴としている。
【手続補正４】
【補正対象書類名】明細書
【補正対象項目名】００１３
【補正方法】変更
【補正の内容】
【００１３】
請求項８に記載の動画偽輪郭低減回路は、対象画素に映像を表示するための入力信号を入力し、該入力信号に基づいて対象画素に映像を表示した場合の前記対象画素における偽輪郭強度を検出する偽輪郭検出部と、前記偽輪郭強度が所定値より大きいときは前記入力信号に対して誤差拡散処理を施した入力信号に基づく表示を、前記偽輪郭強度が所定値以下のときは誤差拡散処理を施さない入力信号に基づく表示を、それぞれ行うように表示部を制御する表示制御部と、を備えることを特徴としている。
請求項９に記載の動画偽輪郭低減回路は、対象画素に映像を表示するための入力信号を入力し、該入力信号に基づいて対象画素に映像を表示した場合の前記対象画素における偽輪郭強度を検出する偽輪郭検出部と、前記対象画素及びその周辺の画素において誤差拡散表示する範囲を、前記偽輪郭強度に応じた広さに設定する誤差拡散範囲設定部と、前記誤差拡散設定部により設定された範囲の前記入力信号に対して誤差拡散処理を施した入力信号に基づく表示を行うように表示部を制御する表示制御部と、を備えることを特徴としている。
【手続補正５】
【補正対象書類名】明細書
【補正対象項目名】００１４
【補正方法】変更
【補正の内容】
【００１４】
請求項１０に記載の動画偽輪郭低減回路は、対象画素に映像を表示するための入力信号を入力し、該入力信号に基づいて対象画素に映像を表示した場合の前記対象画素における偽輪郭強度を検出する偽輪郭検出部と、前記偽輪郭検出部により検出された偽輪郭強度のレベルに応じた態様で、前記入力信号に対して誤差拡散処理を施す誤差拡散処理部と、前記誤差拡散処理部による誤差拡散処理後の入力信号に基づき映像が表示されるように表示部を制御する表示制御部と、を備えることを特徴としている。
請求項１２に記載の動画偽輪郭低減回路は、複数のサブフィールドと複数の階調レベルとを対応付ける階調レベル設定メモリと、対象画素に映像を表示するための入力信号を入力し、該入力信号に応じて、前記階調レベル設定メモリを参照して、複数の決定サブフィールドの階調レベルを、それらの階調レベルの合計値が前記対象画素の階調レベルとなるように決定するコーディング部と、前記決定サブフィールド毎に、前記対象画素と前記対象画素の周辺の周辺画素との輪郭を検出して輪郭検出値を生成する輪郭検出部と、前記階調レベル設定メモリに格納された前記サブフィールドに対応する階調レベルを、前記決定サブフィールド毎に前記輪郭検出値に乗算して偽輪郭検出値を生成する重付部と、前記決定サブフィールド毎に生成された前記偽輪郭検出値の合計値を、動画偽輪郭の程度を表す偽輪郭強度として算出する加算部と、前記対象画素の階調レベルと前記偽輪郭強度と前記表示部に表示される前記対象画素の階調レベルを実際にユーザが見たときに感じる見た目の偽輪郭強度とを対応付ける視覚感度設定メモリと、前記視覚感度設定メモリを参照して、前記対象画素の階調レベルと前記偽輪郭強度とに対応する前記見た目の偽輪郭強度を検索する視覚感度変換部と、前記視覚感度変換部により検索された前記見た目の偽輪郭強度のレベルに応じた態様で、前記入力信号に対して誤差拡散処理を施す誤差拡散処理部と、前記誤差拡散処理部による誤差拡散処理後の入力信号に基づき映像が表示されるように表示部を制御する表示制御部と、を備えることを特徴としている。
【手続補正６】
【補正対象書類名】明細書
【補正対象項目名】００１５
【補正方法】変更
【補正の内容】
【００１５】
請求項１５に記載の表示装置は、請求項１０乃至１４の何れか一項に記載の動画偽輪郭低減回路と、前記動画偽輪郭低減回路に接続された表示部と、を備えることを特徴としている。
【手続補正７】
【補正対象書類名】明細書
【補正対象項目名】００１６
【補正方法】変更
【補正の内容】
【００１６】
請求項１６に記載の発明は、コンピュータが実行可能なプログラムであって、
対象画素に映像を表示するための入力信号が入力されると、該入力信号に基づいて対象画素に映像を表示した場合の前記対象画素における偽輪郭強度を検出する検出処理と、前記検出処理により検出された前記偽輪郭強度のレベルが所定値より大きいときは前記入力信号に対して誤差拡散処理を施した入力信号に基づく表示を、前記偽輪郭強度が所定値以下のときは前記入力信号に対して誤差拡散処理を施さない入力信号に基づく表示を、それぞれ表示部に行わせる表示制御と、実行することを特徴としている。
請求項１７に記載の発明は、コンピュータが実行可能なプログラムであって、
対象画素に映像を表示するための入力信号が入力されると、該入力信号に基づいて対象画素に映像を表示した場合の前記対象画素における偽輪郭強度を検出する検出処理と、前記対象画素及びその周辺の画素において誤差拡散表示する範囲を、前記検出処理により検出された前記偽輪郭強度のレベルに応じた広さに設定する誤差拡散範囲設定処理と、前記誤差拡散設定処理により設定された範囲の前記入力信号に対して誤差拡散処理を施した入力信号に基づく表示を行うように表示部を制御する表示制御処理と、を実行することを特徴としている。
【手続補正８】
【補正対象書類名】明細書
【補正対象項目名】００１７
【補正方法】変更
【補正の内容】
【００１７】
請求項１８に記載の発明は、コンピュータが実行可能なプログラムであって、対象画素に映像を表示するための入力信号が入力されると、該入力信号に基づいて対象画素に映像を表示した場合の前記対象画素における偽輪郭強度を検出する検出処理と、前記検出処理により検出された偽輪郭強度のレベルに応じた態様で、前記入力信号に対して誤差拡散処理を施す誤差拡散処理と、を実行することを特徴としている。
請求項１９に記載の発明は、コンピュータが実行可能なプログラムであって、
対象画素に映像を表示するための入力信号が入力されると、該入力信号に応じて、複数のサブフィールドと複数の階調レベルとを対応付ける階調レベル設定メモリを参照して、複数の決定サブフィールドの階調レベルを、それらの階調レベルの合計値が前記対象画素の階調レベルとなるように決定する決定処理と、前記決定サブフィールド毎に、前記対象画素と前記対象画素の周辺の周辺画素との輪郭を検出して輪郭検出値を生成する処理と、前記階調レベル設定メモリに格納された前記サブフィールドに対応する階調レベルを、前記決定サブフィールド毎に前記輪郭検出値に乗算して偽輪郭検出値を生成する処理と、前記決定サブフィールド毎に生成された前記偽輪郭検出値の合計値を、動画偽輪郭の程度を表す偽輪郭強度として算出する処理と、前記対象画素の階調レベルと前記偽輪郭強度と前記表示部に表示される前記対象画素の階調レベルを実際にユーザが見たときに感じる見た目の偽輪郭強度とを対応付ける視覚感度設定メモリを参照して、前記対象画素の階調レベルと前記偽輪郭強度とに対応する前記見た目の偽輪郭強度を検索する検索処理と、前記検索処理により検索された前記見た目の偽輪郭強度のレベルに応じた態様で、前記入力信号に対して誤差拡散処理を施す誤差拡散処理と、を実行することを特徴としている。